(57)【要約】【課題】  哺乳動物飼育用ケージの側壁部に寄り添って眠る幼児が哺乳動物飼育用ケージの側壁部近傍に横臥する母親に圧潰されて死亡するのを防止する哺乳動物飼育用ケージと哺乳動物の幼児圧死防止用棚を提供する。【解決手段】  設置面に立設される少なくとも３の側壁部と、少なくとも１の側壁部から内側に垂設される棚部と、この棚部を支持する支持部と、を有し、棚部の内側端部から棚部の側壁部側端部までの幅及び棚部の設置面からの高さは、飼育される哺乳動物の幼児の胴幅よりも広い／高いことを特徴とする哺乳動物飼育用ケージ及び、哺乳動物飼育用ケージ内に取着する哺乳動物の幼児の圧死を防止するための棚であって、棚は、哺乳動物飼育用ケージの側壁部から垂設される棚本体と、棚本体を支持する支持部とを有し、棚本体はその上側から下側が透視可能に形成されることを特徴とする哺乳動物の幼児圧死防止用棚。【選択図】  図１
0003114669.tif 000002
【実用新案登録請求の範囲】
【請求項１】
設置面に立設される少なくとも３の側壁部と、
少なくとも１の前記側壁部から内側に垂設される棚部と、
この棚部を支持する支持部と、
を有し、
前記棚部の内側端部から前記棚部の側壁部側端部までの幅及び前記棚部の設置面からの高さは、飼育される哺乳動物の幼児の胴幅よりも広い／高いことを特徴とする哺乳動物飼育用ケージ。
【請求項２】
前記支持部は、前記棚部の下面側から垂下され前記棚部を支持する脚部であることを特徴とする請求項１記載の哺乳動物飼育用ケージ。
【請求項３】
前記棚部は、前記側壁部側端部を基軸に前記側壁部側に回動することを特徴とする請求項１又は請求項２に記載の哺乳動物飼育用ケージ。
【請求項４】
前記哺乳動物飼育用ケージの少なくとも１の側壁部は、前記哺乳動物の幼児を取り出すための開口部を前記棚部の下面側に備えることを特徴とする請求項１乃至請求項３のいずれか１項に記載の哺乳動物飼育用ケージ。
【請求項５】
前記棚部は、その上側から下側が透視可能に形成されることを特徴とする請求項１乃至請求項４のいずれか１項に記載の哺乳動物飼育用ケージ。
【請求項６】
哺乳動物飼育用ケージ内に取着する哺乳動物の幼児の圧死を防止するための棚であって、
前記棚は、前記哺乳動物飼育用ケージの側壁部から垂設される棚本体と、
前記棚本体を支持する支持部とを有し、前記棚本体はその上側から下側が透視可能に形成されることを特徴とする哺乳動物の幼児圧死防止用棚。
【請求項７】
前記支持部は、前記棚本体の下面側から垂下され前記棚本体を支持する脚部であることを特徴とする請求項６記載の哺乳動物の幼児圧死防止用棚。
【考案の詳細な説明】
【技術分野】
【０００１】
本考案は哺乳動物の幼児の圧死を防止する哺乳動物飼育用ケージと、哺乳動物の幼児の圧死を防止するために哺乳動物飼育用ケージ内に取着する棚に関する。
【０００２】
一般に、哺乳動物は出産、育児というプロセスを経て繁殖されるが、幼児と母親を同じスペースで飼育する場合が多く、生まれて間もない幼児の上に誤って母体が横臥又は伏臥してしまい、この結果、幼児が母親の下敷になって圧死するという事故が少なくなかった。これは、哺乳動物の幼児は体を休める際に、母親の体や、飼育スペースの隅や側壁に身を寄せる習性があり、他方、母親も体をもたせかけようと飼育スペースの隅や側壁に身を寄せて横臥又は伏臥する傾向にあり、飼育用スペースが狭い場合、幼児が母親の下敷となる可能性が高かった。
このような課題を解決するため、いくつかの発明が開示されている。
【０００３】
以下、図６を参照しながら従来技術にかかる子豚の圧死防止機能を備える養豚装置に関する発明を説明する。
図６は（ａ）は従来技術に係る子豚の圧死防止機能を備える養豚装置の平面図であり、（ｂ）はＱ−Ｑ線における矢視断面図である。
図６に示すように特許文献１に係る養豚装置１００は主に、金網製の水平な床１０１と、その床１０１を仕切る親豚１０９が越えられない外柵１０３及び、外柵１０３に平行に設けられる内柵１０２、そして、親豚１０９の足元に風を送風する送風手段１０７とから構成されている。
また、内柵１０２の前後長、左右幅及び高さは親豚１０９が内柵１０２から脱出したり、反転したりできないよう親豚１０９の全長、胴幅及び四足立ち時の背高より若干大きい程度とし、各外柵１０３の前後長は内柵１０２と同一、左右幅は内柵１０２の約２分の１、及び高さは内柵１０２より若干低めに構成されている。
さらに、内柵１０２の面方向には仕切り杆１０４，１０５が設けられ、子豚１１０は自由に出入できるが、親豚１０９は内柵１０２から外柵１０３へ通過できないよう構成されている。
上記構成の養豚装置１００によれば、親豚１０９が内柵１０２の内側において四足立の場合、光センサ１０８が親豚１０９の四足立を検知して、親豚１０９の足元に送風手段１０７の吹出し口１０６から風が送られる。すると、子豚１１０が風を嫌って内柵１０２の内側から親豚１０９の進入できない外柵１０３側へと移動し、この結果、親豚１０９が突然横臥又は伏臥した場合でも、子豚１１０が親豚１０９の下敷になるのを防止することができる。
また、光センサ１０８は親豚１０９が横臥又は伏臥した状態を検知して送風手段１０７の送風を停止させ、親豚１０９や子豚１１０への風によるストレスを軽減し、無駄な電力の消費を防止することができる。そして、一旦親豚１０９が横臥又は伏臥した後は、子豚１１０は安全に親豚１０９の乳を飲むことができる。
【０００４】
また、特許文献２には「子豚圧死防止具及びその使用方法」という名称で、やはり、親豚の不意の横臥や伏臥により子豚が圧死するのを防止する発明が開示されている。
特許文献２に係る発明は、お産分娩ワクの内側に、親豚を収容するお産分娩ワク中央室と、このお産分娩ワク中央室の両脇に子豚を収容するためのお産分娩補助室が設けられ、お産分娩ワク中央室とお産分娩補助室はのれん様の子豚圧死防止具で仕切られている。
すなわち、例えば、図６（ａ）を用いて特許文献２に係る発明を簡単に説明すると、特許文献２に係る発明は、特許文献１に係る養豚装置１００において、送風手段１０７を有さず、内柵１０２の仕切り杆１０４，１０５に代えてのれん様の子豚圧死防止具を備えるものである。
上記構成の特許文献２に係る発明においては、生まれて間もない子豚が物の裏側に入り込む習性を利用し、のれん様の子豚圧死防止具で子豚をお産分娩補助室へと誘導し、親豚の不意の横臥又は伏臥により子豚が親豚の下敷となって圧死するのを防止するものである。
【０００５】
【特許文献１】特開平６−１４６７１号公報
【特許文献２】特開２００１−４５９００号公報
【考案の開示】
【考案が解決しようとする課題】
【０００６】
しかしながら、上述の特許文献１に開示された発明においては、四足立ちしている親豚１０９の近傍から子豚１１０を退避させることができるものの、子育て中の親豚を収容する豚舎の全てに光センサ１０８や送風手段１０７を設ける必要がありコストがかさむという課題があった。
また、一般に子豚１１０が風を嫌う性質を有していたとしても、このような性質には個体差があり、風に鈍感な子豚１１０が親豚１０９から離れずに親豚１０９の下敷となり圧死する可能性があった。
また、親豚１０９の足元への送風を繰り返すことで子豚１１０が風に慣れてしまい次第に親豚１０９の側から離れなくなってしまう可能性もあり、子豚１１０の圧死を完全には防止することができないという課題があった。
【０００７】
また、特許文献２に開示された発明においても同様に、一般に、生まれて間もない子豚が物の裏側に入り込む習性を有していたとしても、その習性には個体差があり、また、入り込める物陰があったとしても常に子豚がその裏側に入り込むとは限らないため、子豚が親豚の下敷になり圧死する可能性があった。
【課題を解決するための手段】
【０００８】
本考案は係る従来の事情に対処してなされたものであり、哺乳動物飼育用ケージの内の幼児が母親に圧潰されて死亡するのを防止する哺乳動物飼育用ケージと哺乳動物の幼児圧死防止用棚を提供することにある。
【０００９】
上記目的を達成するため、請求項１記載の考案である哺乳動物飼育用ケージは、
設置面に立設される少なくとも３の側壁部と、少なくとも１の側壁部から内側に垂設される棚部と、この棚部を支持する支持部と、を有し、棚部の内側端部から棚部の側壁部側端部までの幅及びこの棚部の設置面からの高さは、飼育される哺乳動物の幼児の胴幅よりも広い／高いことを特徴とするものである。
上記構成の哺乳動物飼育用ケージにおいて、棚部は哺乳動物飼育用ケージ内に哺乳動物の幼児のみが退避できる空間を形成するという作用を有する。また、この棚部を支持する支持部は、設置面から幼児の胴幅よりも高い位置に棚部を支持するという作用を有する。
さらに、棚部の内側端部は、哺乳動物の母親がケージ内において横臥又は伏臥した際に、母親の体の一部を支持するという作用を有する。
【００１０】
また、請求項２に記載の考案である哺乳動物飼育用ケージは、請求項１に記載の哺乳動物飼育用ケージであって、支持部は、棚部の下面側から垂下され棚部を支持する脚部であることを特徴とするものである。
上記構成の哺乳動物飼育用ケージは、請求項１に記載の考案の作用に加え、支持部である脚部は、哺乳動物の幼児の胴幅よりも高い位置に棚部を支持し、棚部の上面に荷重が作用した際にその荷重を支持するという作用を有する。
【００１１】
さらに、請求項３に記載の考案である哺乳動物飼育用ケージは、請求項１又は請求項２に記載の哺乳動物飼育用ケージであって、棚部は、側壁部側端部を基軸に側壁部側に回動することを特徴とするものである。
上記構成の哺乳動物飼育用ケージは、請求項１又は請求項２に記載の考案の作用に加え、棚部は、側壁部側端部を基軸に側壁部側に回動するという作用を有する。
【００１２】
また、請求項４に記載の考案である哺乳動物飼育用ケージは、請求項１乃至請求項３のいずれか１項に記載の哺乳動物飼育用ケージであって、哺乳動物飼育用ケージの少なくとも１の側壁部は、棚部の下面側に哺乳動物の幼児を取り出すための開口部を備えることを特徴とするものである。
上記構成の哺乳動物飼育用ケージは、請求項１乃至請求項３に記載の考案の作用に加え、開口部は、哺乳動物の幼児を哺乳動物飼育用ケージの外に搬出可能にするという作用を有する。
【００１３】
請求項５に記載の考案である哺乳動物飼育用ケージは、請求項１乃至請求項４のいずれか１項に記載の哺乳動物飼育用ケージであって、棚部は、その上側から下側が透視可能に形成されることを特徴とするものである。
上記構成の哺乳動物飼育用ケージは、請求項１乃至請求項４に記載の考案の作用に加え、棚部はその上側から下側を透視可能にするという作用を有する。
【００１４】
また、請求項６に記載の考案である哺哺乳動物の幼児圧死防止用棚は、哺乳動物飼育用ケージ内に取着する哺乳動物の幼児の圧死を防止するための棚であって、棚は、哺乳動物飼育用ケージの側壁部から垂設される棚本体と、棚本体を支持する支持部とを有し、棚本体はその上側から下側が透視可能に形成されることを特徴とするものである。
上記構成の哺哺乳動物の幼児圧死防止用棚において、棚本体は哺乳動物飼育用ケージ内に哺乳動物の幼児のみが退避できる空間を形成するという作用を有し、また、この棚本体を支持する支持部は、棚を設置面と平行に支持するという作用を有する。
さらに、棚本体はその上側から下側を透視可能にするという作用を有する。
また、棚本体の内側端部は、哺乳動物の母親がケージ内において横臥又は伏臥した際に、母親の体の一部を支えるという作用を有する。
【００１５】
そして、請求項７に記載の考案である哺哺乳動物の幼児圧死防止用棚は、請求項６に記載の考案であって、支持部は、棚本体の下面側から垂下され棚本体を支持する脚部であることを特徴とするものである。
上記構成の哺哺乳動物の幼児圧死防止用棚には、請求項６に記載の考案の作用に加え、支持部である脚部は棚本体を設置面と平行に支持し、棚部の上面に荷重が作用した際に、その荷重も支持するという作用を有する。
【考案の効果】
【００１６】
以上説明したように、請求項１乃至請求項７に記載の哺乳動物飼育用ケージ又は哺哺乳動物の幼児圧死防止用棚においては、棚部／棚本体により形成される空間に哺乳動物の幼児が入り込むことで、哺乳動物の母親がこの幼児に寄り添うように、或いは、哺乳動物飼育用ケージの側壁部に体を持たせかけるように横臥又は伏臥した場合であっても、母親の体重は棚部の内側端部によって支持されるので、幼児に母親の体重が直接かかる心配がない。従って、母親の下敷になって幼児が圧死するおそれが無い。
【００１７】
また、請求項２又は請求項７に記載の哺乳動物飼育用ケージ又は哺乳動物の幼児圧死防止用棚は、特に、棚部／棚本体は脚部により支持されるため、たとえば、棚部／棚本体の上面に哺乳動物の母親が乗るなどして、棚部／棚本体の上面に大きな荷重がかかった場合であっても、脚部がこの荷重を支持することで、棚部／棚本体の下面側の空間が押し潰される心配がなく、幼児の圧死を一層確実に防止することができる。
【００１８】
さらに、請求項３に記載の乳動物飼育用ケージは、特に、側壁部側端部を基軸に棚部が回動可能であるため、飼育する哺乳動物の子育てが終了する等して棚部が不要になった場合に、棚部を側壁部側へ折りたたんで収納することができる。従って、哺乳動物飼育用ケージ内の空間を広く利用することができる。
また、哺乳動物飼育用ケージを量産する場合、哺乳動物飼育用ケージをコンパクトに折り畳むことができるので、流通が容易になる。
【００１９】
請求項４に記載の乳動物飼育用ケージは、特に、哺乳動物の母親に気遣いすることなく幼児のみを開口部から取り出すことができる。従って、幼児を取り出す際に母親に噛み付かれたり、威嚇されたりする心配がなく安全である。
【００２０】
また、請求項５又は請求項６に記載の乳動物飼育用ケージ又は幼児圧死防止用棚は、特に、棚部／棚本体の上側から下側を透視することができるため、棚部／棚本体の下側に退避している哺乳動物の幼児の様子を逐一観察することができる。従って、哺乳動物を飼育する際に母親及び幼児の管理が容易である。
【考案を実施するための最良の形態】
【００２１】
以下に、本考案の第１の実施の形態に係る乳動物飼育用ケージを図１乃至図４を参照しながら説明する。（特に、請求項１乃至請求項５に対応）
図１は本考案の第１の実施の形態に係る哺乳動物飼育用ケージの概念図である。
図１に示すように、本考案の第１の実施の形態に係る哺乳動物飼育用ケージ１ａは主に、横材又は縦材、或いはこれらを複合して形成した網状の側壁部２ａ（２ａ1〜２ａ4）及び網状の天井３により形成され、側壁部２ａ4には、図中の符号Ｃで示す方向に回動する開閉扉７ｂが設けられ、哺乳動物用の出入口７となっており、設置面８上に載置して使用するものである。
また、それぞれの側壁部２ａの内側には棚４ａ（４ａ1〜４ａ4）がそれぞれ垂設され、この棚４ａ下面から垂下する脚部５ａで棚４ａを支持している。
さらに、側壁部２ａ1，２ａ3における棚４ａの下面側には、側壁部２ａ1，２ａ3の左右方向の長さと同じ長さの開口６ａが設けられ、この開口６ａの開閉を可能にする開閉扉６ｂ（６ｂ1〜６ａ4）が設けられており、哺乳動物の幼児の搬出入が可能な取出口６となっている。
また、本実施の形態において開閉扉６ｂ（６ｂ1〜６ａ4）は、特に、図１中の符号Ｂで示す方向に回動するよう構成されている。
そして、棚４ａの端部１３で囲まれる空間が哺乳動物の母親が横臥するための横臥位置９である。
【００２２】
次に、本実施の形態にかかる哺乳動物飼育用ケージ１ａの使用方法について、図２を参照しながら説明する。
図２は本考案の第１の実施の形態に係る哺乳動物飼育用ケージの使用状態図である。なお、図１に記載されたものと同一部分については同一符号を付し、その構成についての説明は省略する。また、図２は、本実施の形態にかかる哺乳動物飼育用ケージ１ａ内において、例えば、哺乳動物の犬を飼育する場合を例にあげて説明する。
図２は、図１に示す哺乳動物飼育用ケージ１ａに母親１０と２匹の幼児１１ａ，１１ｂを収容し、図１中の符号Ａで示す方向から哺乳動物飼育用ケージ１ａの内部の様子を見た矢視図である。
一般に、生まれて間もない哺乳動物の幼児は、哺乳動物飼育用ケージ内の側壁部に寄り添って眠ることが多く、さらに、その母親も側壁部に体を持たせかけて横臥する場合が多い。このため、幼児がケージの側壁部に寄り添って眠っている時に、母親がケージの側壁に体を持たせかけながら横臥すると、幼児の体の上に母親が覆いかぶさってしまい、母親の体重で幼児が圧死するという事故が頻発していた。
このような事故を防止するため、本実施の形態に係る哺乳動物飼育用ケージ１ａは、側壁部２ａ（２ａ1，２ａ2）の近傍で眠る幼児１１ａ，１１ｂの上側に棚４ａ（４ａ1，４ａ2）を覆設し、母親１０が側壁部２ａに体をもたせかるように横臥した場合に、棚４ａの内側端部１３で母親１０の体重を支えることで、幼児１１ａ，１１ｂに母親１０の体重が直接かからないよう構成されるものである
具体的に、図２を参照しながら説明する。
いま、２匹の幼児１１ａ，１１ｂはいずれも側壁部２ａ近傍に寄り添っており、母親１０は幼児１１ｂに覆いかぶさるように側壁部２ａ1側に体をもたせかけながら横臥位置９に横臥している。このとき、母親１０の体は、端部１３により支持されており、幼児１１ｂに母親１０の体重はかかっていない。
【００２３】
さらに、棚４ａで幼児１１ｂの圧死を防止する仕組みについて図３を参照しながら詳細に説明する。
図３は図２中の符号Ｄ−Ｄ線における矢視断面図である。なお、図１又は図２に記載されたものと同一部分については同一符号を付し、その構成についての説明は省略する。
図３に示すように、本実施の形態に係る哺乳動物飼育用ケージ１ａの棚４ａ1の高さＧは、飼育する哺乳動物の幼児１１ｂの胴幅Ｆよりもやや大きく、即ち、幼児１１ｂの胴幅Ｆとほぼ同じでかつ棚４ａ1の下面側への幼児１１ｂの出入を妨げない程度の高さに、また、棚４ａ1の幅Ｈは、幼児１１ｂの胴幅Ｆよりも大きく、即ち、Ｆ＜Ｈの関係式が成り立つよう構成されている。特に、母親１０は棚４ａ1を枕代わり使用することがあり、母親１０が棚４ａ1に頭を載せた場合であっても幼児１１に荷重がかからないよう、棚４ａの幅Ｈは幼児１１ｂの胴幅Ｆの１〜１．５倍程度とすることが好ましい。
上述のように棚４ａ1を配置することで、幼児１１ｂが側壁部２ａに寄り添う場合、幼児１１は自動的に棚４ａ1の下面側にもぐりこむことになる。つまり、幼児１１ｂの体の上には棚４ａ1が覆設され、図中の符号Ｉで示す方向から幼児１１ｂに負荷がかかるのを防いでいるのである。また、母親１０が幼児１１ｂの体の上に覆いかぶさろうとした場合、母親１０の体は幼児１１ｂに触れずに端部１３で支えられるため、幼児１１ｂに荷重がかかることがなく安全である
本実施の形態においては上述のように、設置面８から棚４ａ1までの高さＧが、母親１０の胴幅Ｅを超えないよう設定されている。すなわち、設置面８から棚４ａ1までの高さＧは、Ｆ＜Ｇ＜Ｅの関係式が成り立つよう設定されている。
このため、万一、母親１０が棚４ａ1の端部１３に体をもたせかけることなく横臥位置９に横臥した場合であっても、幼児１１ｂがいる棚４ａ1の下側に母親１０の体がなだれ込む心配が無く、母親１０が幼児１１ｂを圧潰してしまうおそれが無い。
なお、本実施の形態では、哺乳動物飼育用ケージ１ａにおいて犬を飼育する場合を例に挙げて説明しているが、犬以外の哺乳動物を飼育する場合には、哺乳動物飼育用ケージ１ａ内に設ける棚４ａの幅Ｈや、設置面８から棚４ａまでの高さＧは、飼育する哺乳動物の母親や幼児の胴幅に応じて適宜変更してよい。
また、本実施の形態に係る哺乳動物飼育用ケージ１ａを特に犬の飼育に使用する場合、成犬の胴幅が約２０〜３０ｃｍの大型犬の場合には幼児の胴幅は約１０ｃｍ程度であるため、棚４ａの幅Ｈは約１０〜１３ｃｍ，高さＧは約１０〜１２ｃｍ程度であることが好ましく、成犬の胴幅が約１５〜２０ｃｍの中型犬の場合には幼児の胴幅は約８ｃｍ程度であるため、棚４ａの幅Ｈは約８〜１１ｃｍ，高さＧは約８〜１０ｃｍ程度であることが好ましく、成犬の胴幅が約１０〜１５ｃｍの小型犬の場合には幼児の胴幅は約６〜７ｃｍ程度であるため、棚４ａの幅Ｈは約６〜９ｃｍ，高さＧは約６〜９ｃｍ程度であることが好ましい。
【００２４】
また、図３に示すように、哺乳動物飼育用ケージ１ａの側壁部２ａ1には開口６ａと開閉扉６ｂ（６ｂ4）とからなる取出口６が設けられており、開閉扉６ｂ4を図中の符号Ｂで示す方向に回動させることで開口６ａの開閉が可能であるため、開口６ａから幼児１１ｂを容易に取り出すことができる。
このように哺乳動物飼育用ケージ１ａを構成することにより、図１に示す開閉扉７ｂによらずとも、幼児１１の取り出すことができる。このため、例えば哺乳動物飼育用ケージ１ａ内の母親１０が幼児１１に危害が及ぶのを恐れて、出入口７ｂから幼児１１を搬出するのを妨害する場合であっても、開口６ａから幼児１１を安全に取り出すことができる。
このように、いつでも簡単に哺乳動物飼育用ケージ１ａから幼児１１を搬出入することができるので、万一、幼児の体調等に異変を発見した場合には迅速に対処することができる。
なお、本実施の形態において開閉扉６ｂは、その下端部を側壁部２ａの設置面８側に回動可能に固設しているが、開閉扉６ｂの取付け方法は必ずしも図示される形態に限定されるものではなく、例えば、側壁部２ａの側端に開閉扉６ｂを回動可能に固設しても良いし、或いは、側壁部２ａの平面方向と平行に開閉扉６ｂを配置し、この開閉扉６ｂをスライドさせることにより開閉扉６ｂを開閉可能としてもよく、幼児１１の搬出入を妨げないよう構成されるものであれば、開閉扉６ｂの取付け方法は問題としない。
【００２５】
続いて、側壁部２ａに対する棚４ａの取付け構造について図４を参照しながら詳細に説明する。
図４（ａ）は本考案の第１の実施の形態に係る哺乳動物飼育用ケージの脚部部分概念図であり、（ｂ）は本考案の第１の実施の形態に係る哺乳動物飼育用ケージの脚部の変形例を示した部分概念図である。なお、図１乃至図３に記載されたものと同一部分については同一符号を付し、その構成についての説明は省略する。
図４（ａ）に示すように、本実施の形態に係る哺乳動物飼育用ケージ１ａの脚部５ａは、棚４ａの幅の略中心から設置面８に向って垂下している。また、この脚部５ａは棚４ａとの接触部を基点に棚４ａ側に回動するように、すなわち、図中の符号Ｒで示す位置を基点に符号Ｋで示す方向へ回動可能に構成されている。
また、棚４ａは、側壁部２ａと棚４ａとの当接部を基軸に側壁部２ａ側に回動するように、すなわち、図４（ａ）中の符号Ｐを基軸に棚４ａが符号Ｊで示す方向へ回動するよう構成されている。このように、棚４ａと脚部５ａを構成することで、哺乳動物の育児が終了し棚４ａが不要になった場合に棚４ａを側壁部２ａ側へ折り畳み、脚部５ａは棚４ａ側に折り畳んで収納することができる。
この結果、哺乳動物飼育用ケージ１ａを大量に生産する場合、哺乳動物飼育用ケージ１ａ自体をコンパクトに折り畳んだ形で流通させることができるので、流通が簡素化される。
なお、側壁部２ａへの棚４ａの取付けは、例えば、棚４ａと側壁部２ａの当接部を挟持具で回動可能に固定してもよい、すなわち、側壁部２ａにおける棚４ａの取付け位置に横材２ｂを配置し、棚４ａの側壁部２ａ側端部１４と横材２ｂをクリップ１５で挟持する等して回動可能に固定してもよい。或いは、棚４ａに掛着具を設けて側壁部２ａに回動可能に掛着してもよい、すなわち、端部１４にフックを設けて横材２ｂに掛着し、棚４ａを支持してもよい。或いは、側壁部２ａと棚４ａはヒンジで回動可能に固設してもよい。さらに、端部１４と側壁部２ａを斜め材で連結し、この斜め材を折曲可能とすることで、棚４ａを側壁部２ａ側に折り畳み可能な吊り棚としてもよい。
また、棚４ａが、母親１０が乗っても破損しない程度の十分な剛性を有する場合には、必ずしも脚部５ａを設ける必要はなく、例えば、棚４ａの外縁に哺乳動物飼育用ケージ１ａから離れる方向に突設される支持部を設け、側壁部２ａでこの支持部を取着可能に係止するよう構成してもよく、すなわち、棚４ａの側壁部２ａ端部１４に哺乳動物飼育用ケージ１ａの外側に向って複数の突起を設け、側壁部２ａに配置される横材２ｂにこの突起を係止して棚４ａを支持してもよい。
【００２６】
次に、脚部の変形例について図４（ｂ）を参照しながら説明する。
棚４ａを支持する脚部５ｂは図４（ｂ）に示すように、略Ｌ字形状をなすよう構成しても良い。このように脚部５ｂを構成した場合、棚４ａの下側に幼児１１が入り込む際に、脚部５ｂが邪魔にならず幼児１１の保護効果が高まる。
また、脚部５ｂは、脚部５ａと同様に、棚４ａとの接触部を基軸に棚４ａ側に回動するように、すなわち、図４（ｂ）中の符号Ｌを基軸に符号Ｋで示される方向に回動可能に構成されており、脚部５ｂを備える哺乳動物飼育用ケージ１ｂも哺乳動物飼育用ケージ１ａと同様にコンパクトに折り畳むことができる。
なお、本実施の形態に係る棚４ａは、棒状体を格子状に配置した平面状の網を使用することを想定しているが、必ずしもこの形態に限定されるものではなく、例えば、合成樹脂や金属等の板材で棚４ａを構成してもよい。また、棚４ａを合成樹脂等の板材で構成する場合には、棚４ａの下側にいる哺乳動物の幼児１１の様子を常時観察できるよう、板材を透明或いは半透明の材料で構成したり、棚４ａを金属板で構成する場合には、上側から下側が透視可能となるよう複数の孔を穿設すればよい。
また、本実施の形態において、幼児１１を保護する棚４ａは側壁部２ａに垂設される４枚の棚４ａ1〜４ａ4により構成され、直交する棚４ａ同士は、哺乳動物飼育用ケージ１ａの隅部において互いに重なり合っている。
【００２７】
続いて、本考案の第２の実施の形態に係る哺乳動物の幼児圧死防止用棚について図５を参照しながら説明する。（特に請求項６及び請求項７に対応。）
本考案の第２の実施の形態に係る哺乳動物の幼児圧死防止用棚は、哺乳動物の幼児圧死防止機能を何ら備えない哺乳動物飼育用ケージに選択的に取着することができる哺乳動物の幼児圧死防止用棚であり、その効果は、上述の哺乳動物飼育用ケージと同じである。
図５（ａ）は本考案の第２の実施の形態に係る哺乳動物の幼児圧死防止用棚の概念図であり、（ｂ）はその変形例を示す概念図である。なお、図１乃至図４に記載されたものと同一部分については同一符号を付し、その構成についての説明は省略する。
図５（ａ）に示すように本考案の第２の実施の形態に係る幼児圧死防止用棚１２ａは、本考案の第１の実施の形態に係る哺乳動物飼育用ケージ１ａにおける棚４ａ1〜４ａ4を一体に構成した略ロの字形の棚４ｃに、脚部５ａを複数垂設したものである。また、棚４ｃの中心部分に形成される母親１０が横臥するための孔の形状は必ずしも方形である必要はなく、例えば楕円形でもよい。
なお、棚４ｃに垂設する脚部５ａに代えて、哺乳動物飼育用ケージ１ｂに係る脚部５ｂを設けても良い。また、棚４ｃは吊り棚としてもよい。
哺乳動物の幼児圧死防止機能を何ら備えない哺乳動物飼育用ケージに上記構成の幼児圧死防止用棚１２ａを設置することで、上述の哺乳動物飼育用ケージ１ａと同じ効果を付与することができる。
また、棚４ｃが、棚４ｃの上に哺乳動物の母親が乗っても破損しない程度の十分な剛性を有する場合には、棚４ｃに脚部を設ける必要はなく、棚４ａの場合と同様に棚４ｃの外縁に突起を設け、側壁部２ａの横材に２ｂ係止して棚４ｃを支持しても良い。
この他に、哺乳動物の幼児１１を保護する哺乳動物の幼児圧死防止用棚は、図４（ｂ）に示すように、４つの別々の棚４ｄからなる幼児圧死防止用棚１２ｂでもよい。
このように、幼児圧死防止用棚１２ｂを２以上に分割された別々の棚４ｄで構成することにより、例えば、哺乳動物の幼児圧死防止機能を何ら備えない哺乳動物飼育用ケージにおいて、対向する一対の側壁部にのみ幼児圧死防止用棚１２ｂを設置することも可能である。この場合、母親１０の横臥位置９のスペースを広くすることができ、哺乳動物飼育用ケージの汎用性を高めることができる。
なお、幼児圧死防止用棚１２ｂを使用する場合には、幼児圧死防止用棚１２ｂが転倒しないよう、棚４ｄと側壁部との接触部分をクリップ等の挟持具で固定することが好ましい。また、棚４ｄは、棚４ａや棚４ｃの場合と同様に哺乳動物飼育用ケージの側壁部に係止可能としてもよい。
【００２８】
以上、述べたような哺乳動物飼育用ケージ１ａ，１ｂや、幼児圧死防止用棚１２ａ，１２ｂによれば、哺乳動物飼育用ケージ内における幼児の圧死事故を確実に防止することができ、哺乳動物を効率的に繁殖させることができる。
【産業上の利用可能性】
【００２９】
本考案に係る哺乳動物飼育用ケージと哺乳動物の幼児圧死防止用棚は、哺乳動物飼育用ケージの側壁部に寄り添う幼児が母親に圧潰されて死亡するのを防止するものであり、特に四足立ちの愛玩動物や家畜の繁殖の分野において利用の可能性が高い
【図面の簡単な説明】
【００３０】
【図１】本考案の第１の実施の形態に係る哺乳動物飼育用ケージの概念図である。
【図２】本考案の第１の実施の形態に係る哺乳動物飼育用ケージの使用状態図である。
【図３】図２中の符号Ｄ−Ｄ線における矢視断面図である。
【図４】（ａ）は本考案の第１の実施の形態に係る哺乳動物飼育用ケージの脚部部分概念図であり、（ｂ）は本考案の第１の実施の形態に係る哺乳動物飼育用ケージの脚部の変形例を示した部分概念図である。
【図５】（ａ）は本考案の第２の実施の形態に係る哺乳動物の幼児圧死防止用棚の概念図であり、（ｂ）はその変形例を示す概念図である。
【図６】（ａ）は従来技術に係る子豚の圧死防止機能を備える養豚装置の平面図であり、（ｂ）はＱ−Ｑ線における矢視断面図である。
【００３１】
１ａ，１ｂ…哺乳動物飼育用ケージ  ２ａ，２ａ1〜２ａ4…側壁部  ２ｂ…横材  ３…天井  ４ａ，４ａ1〜４ａ4，４ｃ, ４ｄ…棚  ５ａ，５ｂ…脚部  ６…取出口  ６ａ…開口  ６ｂ，６ｂ1〜６ｂ4…開閉扉  ７…出入口  ７ｂ…開閉扉  ８…設置面  ９…横臥位置  １０…母親  １１ａ，１１ｂ…幼児  １２ａ，１２ｂ…幼児圧死防止用棚  １３…端部  １４…端部  １５…クリップ  １００…養豚装置  １０１…床  １０２…内柵  １０３…外柵  １０４，１０５…仕切杆(仕切り)  １０６…吹出し口  １０７…送風手段  １０８…光センサ  １０９…親豚  １１０…子豚
【図１】
0003114669.tif 000003
【図２】
0003114669.tif 000004
【図３】
0003114669.tif 000005
【図４】
0003114669.tif 000006
【図５】
0003114669.tif 000007
【図６】
0003114669.tif 000008